(57)【要約】【課題】サービス事業者間で、提供したサービスに関する情報を提供し合い、効果的なサービス提供を行うことができるようにする。【解決手段】サーバ１２は、携帯端末１１−１に所定の携帯端末向けサービス（着信時に流される楽曲の楽曲データ）を提供するとともに、提供した携帯端末向けサービスに関する情報（購入情報）（楽曲のＩＤ等）を、サーバ１３に供給する。サーバ１３は、購入情報から、ユーザＡに提供された携帯端末向けサービスに関連する据置端末向けサービス（提供された楽曲が主題歌となっている映画）を紹介する電子メールを携帯端末１１−１に送信する。ユーザＡは、その電子メールを利用して、提供を受ける据置端末向けサービスを指定することができる。【選択図】      図２
2004334673.tif 000002
【特許請求の範囲】
【請求項１】
ネットワークを介して第１のサービスを第１の端末に提供する第１のサーバ、および前記ネットワークを介して第２のサービスを第２の端末に提供する第２のサービスからなるサービス提供システムにおいて、
前記第１のサーバは、
前記第１のサービスを前記第１の端末に提供する第１の提供手段と、
前記第１の提供手段により前記第１のサービスが提供されたことを示す提供情報を、前記第２のサーバに送信する第１の送信手段と
を備え、
前記第２のサーバは、
前記第１のサーバの前記第１の送信手段により送信されてきた前記提供情報から、前記第１のサービスが提供されたことを認識するとともに、前記第１のサービスに関連する前記第２のサービスを検出する検出手段と、
前記検出手段により検出された前記第２のサービスを紹介する紹介情報を、前記第１の端末に送信する第２の送信手段と、
前記第１の端末によりその提供が要求された、前記紹介情報により紹介された前記第２のサービスを登録する登録手段と、
前記第２の端末からの要求に応じて、前記登録手段により登録された前記第２のサービスを前記第２の端末に提供する第２の提供手段と
を備えることを特徴とするサービス提供システム。
【請求項２】
ネットワークを介して第１のサービスを端末に提供する情報処理装置において、
前記第１のサービスを前記端末に提供する提供手段と、
前記提供手段により前記第１のサービスが提供されたことを示す提供情報を、前記ネットワークを介して第２のサービスを提供するサーバに送信する送信手段と
を備えることを特徴とする情報処理装置。
【請求項３】
ネットワークを介して第１のサービスを端末に提供する情報処理方法において、
前記第１のサービスを前記端末に提供する提供ステップと、
前記提供ステップの処理で前記第１のサービスが提供されたことを示す提供情報を、前記ネットワークを介して第２のサービスを提供するサーバに送信する送信ステップと
を含むことを特徴とする情報処理方法。
【請求項４】
ネットワークを介して第１のサービスを端末に提供する情報処理装置のプログラムであって、
前記第１のサービスの前記端末への提供を制御する提供制御ステップと、
前記提供制御ステップの処理で前記第１のサービスが提供されたことを示す提供情報の、前記ネットワークを介して第２のサービスを提供するサーバへの送信を制御する送信制御ステップと
を含む処理をコンピュータに実行させることを特徴とするプログラム。
【請求項５】
ネットワークを介して第１のサービスを第１の端末に提供する情報処理装置において、
前記ネットワークを介して第２のサービスを第２の端末に提供するサーバから送信されてきた、前記第２のサービスが提供されたことを示す提供情報から、前記第２のサービスが提供されたことを認識するとともに、前記第２のサービスに関連する前記第１のサービスを検出する検出手段と、
前記検出手段により検出された前記第１のサービスを紹介する紹介情報を、前記第２の端末に送信する送信手段と、
前記第２の端末によりその提供が要求された、前記紹介情報により紹介された前記第１のサービスを登録する登録手段と、
前記第１の端末からの要求に応じて、前記登録手段により登録された前記第１のサービスを前記第１の端末に提供する提供手段と
を備えることを特徴とする情報処理装置。
【請求項６】
前記提供情報の授受の回数を集計する集計手段をさらに備え、
前記提供手段は、前記集計手段による集計結果に応じて、前記第１のサービスを前記第１の端末に提供する
することを特徴とする請求項５に記載の情報処理装置。
【請求項７】
ネットワークを介して第１のサービスを第１の端末に提供する情報処理方法において、
前記ネットワークを介して第２のサービスを第２の端末に提供するサーバから送信されてきた、前記第２のサービスが提供されたことを示す提供情報から、前記第２のサービスが提供されたことを認識するとともに、前記第２のサービスに関連する前記第１のサービスを検出する検出ステップと、
前記検出ステップの処理で検出された前記第１のサービスを紹介する紹介情報を、前記第２の端末に送信する送信ステップと、
前記第２の端末によりその提供が要求された、前記紹介情報により紹介された前記第１のサービスを登録する登録ステップと、
前記第１の端末からの要求に応じて、前記登録ステップの処理で登録された前記第１のサービスを前記第１の端末に提供する提供ステップと
を含むことを特徴とする情報処理方法。
【請求項８】
ネットワークを介して第１のサービスを第１の端末に提供する情報処理装置のプログラムであって、
前記ネットワークを介して第２のサービスを第２の端末に提供するサーバから送信されてきた、前記第２のサービスが提供されたことを示す提供情報から、前記第２のサービスが提供されたことを認識するとともに、前記第２のサービスに関連する前記第１のサービスの検出を制御する検出制御ステップと、
前記検出制御ステップの処理で検出された前記第１のサービスを紹介する紹介情報の、前記第２の端末への送信を制御する送信制御ステップと、
前記第２の端末によりその提供が要求された、前記紹介情報により紹介された前記第１のサービスの登録を制御する登録制御ステップと、
前記第１の端末からの要求に応じた、前記登録制御ステップの処理で登録された前記第１のサービスの前記第１の端末への提供を制御する提供制御ステップとを含む処理をコンピュータに実行させることを特徴とするプログラム。
【発明の詳細な説明】
【０００１】
【発明の属する技術分野】
本発明は、サービス提供システム、情報処理装置および方法、並びにプログラムに関し、特に、ネットワークを介するサービス提供を、効果的に行うことができるようにしたサービス提供システム、情報処理装置および方法、並びにプログラムに関する。
【０００２】
【従来の技術】
図１は、インターネット２を介して、ユーザＡが保有する、形態が異なる（処理能力や利用方法などが異なる）携帯端末１−１または据置端末１−２（以下、個々に区別する必要がない場合、単に、端末１と称する。他の場合についても同様である）に、その形態に応じたサービスを提供する従来のサービス提供システムの構成例を示している（特許文献参照）。
【０００３】
携帯端末１−１は、中継器３およびインターネット２を介して、携帯端末向けサービス事業者が管理する携帯端末向けサービスサーバ４に接続され、そこから、所定の携帯端末向けサービスの提供を受ける。例えば、携帯端末１−１が、携帯電話機である場合、着信時に流す楽曲の楽曲データが、携帯端末向けサービスサーバ４から配信される。
【０００４】
据置端末１−２は、インターネット２を介して、据置端末向けサービス事業者が管理する据置端末向けサービスサーバ５に接続され、そこから、所定の据置端末向けサービスの提供を受ける。例えば、据置端末１−２が、パーソナルコンピュータである場合、映画などのビデオデータが、据置端末向けサービスサーバ５から配信される。
【０００５】
【特許文献】
特開２００２−１１７２９２号公報
【０００６】
【発明が解決しようとする課題】
しかしながら、従来のサービス提供システムでは、形態が異なるサービスをそれぞれ提供する携帯端末向けサービス事業者と据置端末向けサービス事業者などが、それぞれユーザに提供したサービスに関する情報を提供し合い、それを利用してサービス提供を行うことはなされていなかった。したがって、例えば、据置端末向けサービス事業者が、携帯端末向けサービス事業者が提供した携帯端末向けサービスの内容（着信時に流す楽曲）に関連する据置端末向けサービス（その曲が主題歌となっている映画）をユーザＡに紹介して販売することなどはなされていなかった。
【０００７】
本発明はこのような状況に鑑みてなされたものであり、形態が異なるサービスを提供するサービス事業者間で、提供したサービスに関する情報を提供し合い、効果的なサービス提供を行うことができるようにするものである。
【０００８】
【課題を解決するための手段】
本発明のサービス提供システムは、第１のサーバが、第１のサービスを第１の端末に提供する第１の提供手段と、第１の提供手段により第１のサービスが提供されたことを示す提供情報を、第２のサーバに送信する第１の送信手段とを備え、第２のサーバが、第１のサーバの第１の送信手段により送信されてきた提供情報から、第１のサービスが提供されたことを認識するとともに、第１のサービスに関連する第２のサービスを検出する検出手段と、検出手段により検出された第２のサービスを紹介する紹介情報を、第１の端末に送信する第２の送信手段と、第１の端末によりその提供が要求された、紹介情報により紹介された第２のサービスを登録する登録手段と、第２の端末からの要求に応じて、登録手段により登録された第２のサービスを第２の端末に提供する第２の提供手段とを備えることを特徴とする。
【０００９】
本発明のサービス提供システムでは、第１のサーバで、第１のサービスが第１の端末に提供され、第１のサービスが提供されたことを示す提供情報が、第２のサーバに送信され、第２のサーバで、提供情報から、第１のサービスが提供されたことを認識するとともに、第１のサービスに関連する第２のサービスが検出され、検出された第２のサービスを紹介する紹介情報が、第１の端末に送信され、第１の端末によりその提供が要求された、紹介情報により紹介された第２のサービスが登録され、第２の端末からの要求に応じて、登録された第２のサービスが第２の端末に提供される。
【００１０】
本発明の第１の情報処理装置は、第１のサービスを端末に提供する提供手段と、提供手段により第１のサービスが提供されたことを示す提供情報を、ネットワークを介して第２のサービスを提供するサーバに送信する送信手段とを備えることを特徴とする。
【００１１】
本発明の第１の情報処理方法は、第１のサービスを端末に提供する提供ステップと、提供ステップの処理で第１のサービスが提供されたことを示す提供情報を、ネットワークを介して第２のサービスを提供するサーバに送信する送信ステップとを含むことを特徴とする。
【００１２】
本発明の第１のプログラムは、第１のサービスの端末への提供を制御する提供制御ステップと、提供制御ステップの処理で第１のサービスが提供されたことを示す提供情報の、ネットワークを介して第２のサービスを提供するサーバへの送信を制御する送信制御ステップとを含む処理をコンピュータに実行させることを特徴とする。
【００１３】
本発明の第１の情報処理装置および方法、並びにプログラムにおいては、第１のサービスが端末に提供され、第１のサービスが提供されたことを示す提供情報が、ネットワークを介して第２のサービスを提供するサーバに送信される。
【００１４】
本発明の第２の情報処理装置は、ネットワークを介して第２のサービスを第２の端末に提供するサーバから送信されてきた、第２のサービスが提供されたことを示す提供情報から、第２のサービスが提供されたことを認識するとともに、第２のサービスに関連する第１のサービスを検出する検出手段と、検出手段により検出された第１のサービスを紹介する紹介情報を、第２の端末に送信する送信手段と、第２の端末によりその提供が要求された、紹介情報により紹介された第１のサービスを登録する登録手段と、第１の端末からの要求に応じて、登録手段により登録された第１のサービスを第１の端末に提供する提供手段とを備えることを特徴とする。
【００１５】
提供情報の授受の回数を集計する集計手段をさらに設け、提供手段には、集計手段による集計結果に応じて、第１のサービスを第１の端末に提供させることができる。
【００１６】
本発明の第２の情報処理方法は、ネットワークを介して第２のサービスを第２の端末に提供するサーバから送信されてきた、第２のサービスが提供されたことを示す提供情報から、第２のサービスが提供されたことを認識するとともに、第２のサービスに関連する第１のサービスを検出する検出ステップと、検出ステップの処理で検出された第１のサービスを紹介する紹介情報を、第２の端末に送信する送信ステップと、第２の端末によりその提供が要求された、紹介情報により紹介された第１のサービスを登録する登録ステップと、第１の端末からの要求に応じて、登録ステップの処理で登録された第１のサービスを第１の端末に提供する提供ステップとを含むことを特徴とする。
【００１７】
本発明の第２のプログラムは、ネットワークを介して第２のサービスを第２の端末に提供するサーバから送信されてきた、第２のサービスが提供されたことを示す提供情報から、第２のサービスが提供されたことを認識するとともに、第２のサービスに関連する第１のサービスの検出を制御する検出制御ステップと、検出制御ステップの処理で検出された第１のサービスを紹介する紹介情報の、第２の端末への送信を制御する送信制御ステップと、第２の端末によりその提供が要求された、紹介情報により紹介された第１のサービスの登録を制御する登録制御ステップと、第１の端末からの要求に応じた、登録制御ステップの処理で登録された第１のサービスの第１の端末への提供を制御する提供制御ステップとを含む処理をコンピュータに実行させることを特徴とする。
【００１８】
本発明の第２の情報処理装置および方法、並びにプログラムにおいては、ネットワークを介して第２のサービスを第２の端末に提供するサーバから送信されてきた、第２のサービスが提供されたことを示す提供情報から、第２のサービスが提供されたことを認識するとともに、第２のサービスに関連する第１のサービスが検出され、検出された第１のサービスを紹介する紹介情報が、第２の端末に送信され、第２の端末によりその提供が要求された、紹介情報により紹介された第１のサービスが登録され、第１の端末からの要求に応じて、登録された第１のサービスが第１の端末に提供される。
【００１９】
【発明の実施の形態】
以下に本発明の実施の形態を説明するが、特許請求の範囲に記載の発明の各手段と以下の実施の形態との対応関係を明らかにするために、各手段の後の括弧内に、対応する実施の形態（但し一例）を付加して本発明の特徴を記述すると、次のようになる。但し勿論この記載は、各手段を記載したものに限定することを意味するものではない。
【００２０】
本発明のサービス提供システムは、第１のサーバ（例えば、図２の携帯端末向けサービスサーバ１２）が、第１のサービス（例えば、携帯端末向けサービス）を第１の端末（例えば、図２の携帯端末１１−１）に提供する第１の提供手段（例えば、図１０のステップＳ１１の処理を行う図５のＣＰＵ７１および通信部７９）と、第１の提供手段により第１のサービスが提供されたことを示す提供情報（例えば、購入情報）を、第２のサーバ（例えば、図２の据置端末向けサービスサーバ１３）に送信する第１の送信手段（例えば、図１０のステップＳ１２の処理を行う図５のＣＰＵ７１および通信部７９）とを備え、第２のサーバが、第１のサーバの第１の送信手段により送信されてきた提供情報から、第１のサービスが提供されたことを認識するとともに、第１のサービスに関連する第２のサービス（例えば、据置端末向けサービス）を検出する検出手段（例えば、図１０のステップＳ２１の処理を行う図６のＣＰＵ９１およびハードディスク９４）と、検出手段により検出された第２のサービスを紹介する紹介情報（例えば、ＵＲＬを含む電子メール）を、第１の端末に送信する第２の送信手段（例えば、図１０のステップＳ２２の処理を行う図６のＣＰＵ９１および通信部９９）と、第１の端末によりその提供が要求された、紹介情報により紹介された第２のサービスを登録する登録手段（例えば、図１０のステップＳ２４の処理を行う図６のＣＰＵ９１およびハードディスク９４）と、第２の端末からの要求に応じて、登録手段により登録された第２のサービスを第２の端末に提供する第２の提供手段（例えば、図１３のステップＳ５２，５３の処理を行う図６のＣＰＵ９１）とを備えることを特徴とする。
【００２１】
本発明の第１の情報処理装置（例えば、図２の携帯端末向けサービスサーバ１２）は、第１のサービス（例えば、携帯端末向けサービス）を端末（例えば、図２の携帯端末１１−１）に提供する提供手段（例えば、図１０のステップＳ１１の処理を行う図５のＣＰＵ７１および通信部７９）と、提供手段により第１のサービスが提供されたことを示す提供情報（例えば、購入情報）を、ネットワークを介して第２のサービス（例えば、据置端末向けサービス）を提供するサーバ（例えば、図２の据置端末向けサービスサーバ１３）に送信する送信手段（例えば、図１０のステップＳ１２の処理を行う図５のＣＰＵ７１および通信部７９）とを備えることを特徴とする。
【００２２】
本発明の第２の情報処理装置（例えば、図２の据置端末向けサービスサーバ１３）は、ネットワークを介して第２のサービス（例えば、携帯端末向けサービス）を第２の端末（例えば、図２の携帯端末１１−１）に提供するサーバ（例えば、図２の携帯端末向けサービスサーバ１２）から送信されてきた、第２のサービスが提供されたことを示す提供情報（例えば、購入情報）から、第２のサービスが提供されたことを認識するとともに、第２のサービスに関連する第１のサービス（例えば、据置端末向けサービス）を検出する検出手段（例えば、図１０のステップＳ２１の処理を行う図６のＣＰＵ９１およびハードディスク９４）と、検出手段により検出された第１のサービスを紹介する紹介情報（例えば、ＵＲＬを含む電子メール）を、第２の端末に送信する送信手段（例えば、図１０のステップＳ２２の処理を行う図６のＣＰＵ９１および通信部９９）と、第２の端末によりその提供が要求された、紹介情報により紹介された第１のサービスを登録する登録手段（例えば、図１０のステップＳ２４の処理を行う図６のＣＰＵ９１およびハードディスク９４）と、第１の端末からの要求に応じて、登録手段により登録された第１のサービスを第１の端末に提供する提供手段（例えば、図１３のステップＳ５２，５３の処理を行う図６のＣＰＵ９１）とを備えることを特徴とする。
【００２３】
提供情報の授受の回数を集計する集計手段（例えば、図６のＣＰＵ９１）をさらに設け、提供手段には、集計手段による集計結果に応じて、第１のサービスを第１の端末に提供させることができる。
【００２４】
図２は、本発明を提供したサービス提供システムの構成例を示している。
【００２５】
ユーザＡの携帯端末１１−１は、中継器３およびインターネット２を介して、携帯端末向けサービス事業者が管理する携帯端末向けサービスサーバ１２に接続され、そこから、所定の携帯端末向けサービスの提供を受ける。例えば、携帯端末１１−１が、携帯電話機である場合、着信時に流す楽曲の楽曲データが、携帯端末向けサービスサーバ１２から配信される。
【００２６】
ユーザＡの据置端末１１−２は、インターネット２を介して、据置端末向けサービス事業者が管理する据置端末向けサービスサーバ１３に接続され、そこから、所定の据置端末向けサービスの提供を受ける。例えば、据置端末１１−２が、パーソナルコンピュータである場合、映画などのビデオデータが、据置端末向けサービスサーバ１３から配信される。
【００２７】
なお、この例の場合、詳細は後述するが、据置端末向けサービスサーバ１３から、据置端末向けサービスを紹介する電子メールが携帯端末１１−１に送信されるようになされているので、ユーザＡは、その電子メールを利用して、提供を受ける据置端末向けサービスを指定することができる。
【００２８】
携帯端末向けサービスサーバ１２は、携帯端末１１−１に所定の携帯端末向けサービスを提供するとともに（例えば、着信時に流される楽曲の楽曲データを配信するとともに）、提供した携帯端末向けサービスに関する情報（以下、購入情報と称する）を、インターネット２を介して据置端末向けサービスサーバ１３に供給する。
【００２９】
据置端末向けサービスサーバ１３は、携帯端末向けサービスサーバ１２からの購入情報に基づいて、携帯端末向けサービスサーバ１２がユーザＡに提供した携帯端末向けサービスに関連する据置端末向けサービス（携帯端末１１−１に提供された着信時に流される楽曲が主題歌となっている映画）を検出するとともに、それを紹介する電子メールを、インターネット２および中継器３を介して携帯端末１１−１に送信する。そして携帯端末１１−１から、その電子メールで紹介した据置端末向けサービスの提供が要求されたとき、据置端末向けサービスサーバ１３は、その据置端末向けサービスを、例えば、据置端末１１−２からの要求に応じて、インターネット２を介して据置端末１１−２に提供する。
【００３０】
図３は、携帯端末１１−１の構成例を示す。ＣＰＵ（Ｃｅｎｔｒａｌ  Ｐｒｏｃｅｓｓｉｎｇ  Ｕｎｉｔ）３１にはバス３４を介して入出力インタフェース３５が接続されており、ＣＰＵ３１は、入出力インタフェース３５を介して、ユーザから、キーボード、マウスなどよりなる入力部３７から指令が入力されると、例えば、ＲＯＭ（Ｒｅａｄ  Ｏｎｌｙ  Ｍｅｍｏｒｙ）３２、またはドライブ３９に装着される半導体メモリ４０などの記録媒体に格納されているプログラムを、ＲＡＭ（Ｒａｎｄｏｍ  Ａｃｃｅｓｓ  Ｍｅｍｏｒｙ）３３にロードして実行する。さらに、ＣＰＵ３１は、その処理結果を、例えば、入出力インタフェース３５を介して、ＬＣＤ（Ｌｉｑｕｉｄ  Ｃｒｙｓｔａｌ  Ｄｉｓｐｌａｙ）などよりなる出力部３６に必要に応じて出力する。通信部３８は、中継器３と無線通信を行う。
【００３１】
図４は、据置端末１１−２の構成例を示している。ＣＰＵ５１にはバス５５を介して入出力インタフェース５６が接続されており、ＣＰＵ５１は、入出力インタフェース５６を介して、ユーザから、キーボード、マウスなどよりなる入力部５８から指令が入力されると、例えば、ＲＯＭ５２、ハードディスク５４、またはドライブ６０に装着される磁気ディスク６１、光ディスク６２、光磁気ディスク６３、若しくは半導体メモリ６４などの記録媒体に格納されているプログラムを、ＲＡＭ５３にロードして実行する。さらに、ＣＰＵ５１は、処理結果を、例えば、入出力インタフェース５６を介して、ＬＣＤなどよりなる出力部５７に必要に応じて出力する。通信部５９は、インターネット２に接続され、所定の通信処理を行う。
【００３２】
図５は、携帯端末向けサービスサーバ１２の構成例を、図６は、据置端末向けサービスサーバ１３の構成例を示しているが、携帯端末向けサービスサーバ１２および据置端末向けサービスサーバ１３は、その処理能力はそれぞれ異なるが、基本的には、図４に示した据置端末１１−２と同様の構成を有しているので、その説明は省略する。
【００３３】
次に、本システムを利用するためのユーザ登録処理を、図７を参照して説明する。
【００３４】
ユーザＡは、オンライン（携帯端末１１−１を利用して）またはオフライン（例えば葉書などで）、ユーザＡの住所や電話番号、携帯端末１１−１の電子メールアドレス等を、ユーザ情報として携帯端末向けサービス事業者（携帯端末向けサービスサーバ１２）に供給する（番号１）。ユーザＡから、ユーザ情報が供給されると、ユーザＡのユーザＩＤが発行され、そのユーザＩＤとユーザ情報が、図８に示すように対応付けられて、携帯端末向けサービスサーバ１２のハードディスク７４に登録される。
【００３５】
携帯端末向けサービス事業者（携帯端末向けサービスサーバ１２）は、発行したユーザＩＤをユーザＡ（携帯端末１１−１）に供給する（番号２）。
【００３６】
ユーザＡは、携帯端末向けサービス事業者により発行されたユーザＩＤを受け取ると、オンライン（据置端末１１−２を利用して）またはオフラインで、そのユーザＩＤやユーザ情報（少なくとも携帯端末１１−１の電子メールアドレスを含む）を、据置端末向けサービス事業者（据置端末向けサービスサーバ１３）に供給する（番号３）。ユーザＡからのユーザ情報とユーザＩＤが供給されると、それらは、図９に示すように対応付けられて、据置端末向けサービスサーバ１３のハードディスク９４に登録される。なお、図９中の「コンテンツＩＤ」と「未配信／配信済」の欄については後述する。
【００３７】
以上のようにして、ユーザ登録処理がなされる。
【００３８】
次に、ユーザＡが携帯端末向けサービスおよび据置端末向けサービを購入する場合の各装置の動作を、図１０のフローチャート、およびこの処理で授受される主なデータを表す図１１を参照して説明する。なお、この例の場合、ユーザＡは、携帯端末向けサービスサーバ１２から、携帯端末向けのコンテンツ（例えば、楽曲）を購入し、据置端末向けサービスサーバ１３から、据置端末向けのコンテンツ（例えば、映画）を購入するものとする。
【００３９】
携帯端末１１−１の出力部３６には、携帯端末向けコンテンツを購入する際に利用される操作画面が表示されており、ユーザＡがそれを利用して所定の携帯端末向けコンテンツを指定すると、ステップＳ１において、携帯端末１１−１のＣＰＵ３１は、指定された携帯端末向けコンテンツのコンテンツＩＤと、ユーザＡのユーザＩＤ（携帯端末向けサービス事業者により発行されたユーザＩＤ）を、通信部３８を介して、携帯端末向けサービスサーバ１２に送信し、携帯端末向けコンテンツの購入を要求する。
【００４０】
携帯端末向けサービスサーバ１２のＣＰＵ７１は、携帯端末１１−１から、携帯端末向けコンテンツの購入が要求されると、ステップＳ１１において、携帯端末１１−１から送信されてきたコンテンツＩＤで識別される携帯端末向けコンテンツを、ハードディスク７４から読み出するとともに、通信部７９を介して携帯端末１１−１に送信する（図１１の番号１）。携帯端末１１−１は、ステップＳ２で、それを受信する。これにより、ユーザＡは、購入した携帯端末向けコンテンツの利用が可能となる。
【００４１】
携帯端末向けサービスサーバ１２のＣＰＵ７１はまた、ステップＳ１２において、通信部７９を介して、携帯端末１１−１から送信されてきたユーザＩＤとコンテンツＩＤを、購入情報として据置端末向けサービスサーバ１３に送信する（図１１の番号２）。
【００４２】
据置端末向けサービスサーバ１３のＣＰＵ９１は、ステップＳ２１において、携帯端末向けサービスサーバ１２から、購入情報として送信されてきたコンテンツＩＤで識別される携帯端末向けコンテンツに関連する据置端末向けコンテンツを、ハードディスク９４から検出する。
【００４３】
次に、ステップＳ２２において、据置端末向けサービスサーバ１３のＣＰＵ９１は、ステップＳ２１で検出した据置端末向けコンテンツを販売するためのページのＵＲＬ（Ｕｎｉｆｏｒｍ  Ｒｅｓｏｕｒｃｅ  Ｌｏｃａｔｏｒ）等を含む電子メールを、通信部９９を介して、購入情報として送信されてきたユーザＩＤに対応付けて、ハードディスク９４に記憶しているユーザＡのユーザ情報に含まれる電子メールアドレス（図９）宛に送信する（図１１の番号３）。この場合、携帯端末１１−１に電子メールが送信される。
【００４４】
携帯端末１１−１のＣＰＵ３１は、ステップＳ３において、携帯端末向けサービスサーバ１３から電子メールを、通信部３８を介して受信し、開封する（出力部３６に表示する）。次に、ステップＳ４において、携帯端末１１−１のＣＰＵ３１は、据置端末向けコンテンツの販売ページ（ＵＲＬ）がユーザＡによって操作され、購入する据置端末向けコンテンツが指定されたか否かを判定し、指定されたと判定した場合、ステップＳ５に進む。
【００４５】
ステップＳ５において、携帯端末１１−１のＣＰＵ３１は、ユーザＡのユーザＩＤと、指定された据置端末向けコンテンツのコンテンツＩＤを、通信部３８を介して据置端末向けサービスサーバ１３に送信し、据置端末向けコンテンツの購入を要求する（図１１の番号４）。ステップＳ４で、購入する据置端末向けサービスが指定されなかった場合、処理は終了する。
【００４６】
据置端末向けサービスサーバ１３のＣＰＵ９１は、ステップＳ２３において、携帯端末１１−１から据置端末向けコンテンツの購入が要求されたか否かを判定し、要求されたと判定した場合、ステップＳ２４に進む。
【００４７】
ステップＳ２４において、据置端末向けサービスサーバ１３のＣＰＵ９１は、携帯端末１１−１から送信されてきた据置端末向けコンテンツのコンテンツＩＤと「未配信」を意味する配信処理情報とを、図１２に示すように、図９中の、ユーザＡのユーザＩＤに対応する「コンテンツＩＤ」および「未配信／配信済」の欄のそれぞれに登録する。ステップＳ２３で、据置端末向けコンテンツの購入が要求されなかったと判定された場合、処理は終了する。
【００４８】
以上のようにして、携帯端末向けサービスおよび据置端末向けサービスの購入処理が行われる。
【００４９】
次に、購入された据置端末向けコンテンツの配信を受けるための据置端末１１−２と据置端末向けサービスサーバ１３の動作を、図１３のフローチャートおよび図１１を参照して説明する。
【００５０】
ステップＳ４１において、据置端末１１−２のＣＰＵ５１は、据置端末向けサービスサーバ１３にアクセスするタイミングであるか否かを判定し、アクセスするタイミングであると判定した場合、ステップＳ４２に進む。この例の場合、据置端末１１−２は、所定時間間隔で、据置端末向けサービスサーバ１３にアクセスするものとする。
【００５１】
ステップＳ４２において、据置端末１１−２のＣＰＵ５１は、ユーザＡのユーザＩＤを、通信部５９を介して据置端末向けサービスサーバ１３に送信し、購入された据置端末向けコンテンツの配信を要求する（図１１の番号５）。
【００５２】
据置端末向けサービスサーバ１３のＣＰＵ９１は、ステップＳ５１において、据置端末１１−２から、据置端末向けコンテンツ配信の要求があるまで待機し、配信要求があったと判定したとき、ステップＳ５２に進み、据置端末１１−２から送信されてきたユーザＡのユーザＩＤに対応して、「未配信」であることを示す配信処理情報が付されて記憶されているコンテンツＩＤが存在するか否かを判定する（図１２）。
【００５３】
ステップＳ５２で、「未配信」であることを示す配信処理情報が付されて記憶されているコンテンツＩＤが存在すると判定された場合、据置端末向けサービスサーバ１３のＣＰＵ９１は、ステップＳ５３に進み、そのコンテンツＩＤで識別される据置端末向けコンテンツを、ハードディスク９４から読み出すとともに、それを、通信部９９を介して据置端末１１−２に配信する（図１１の番号６）。据置端末向けサービスサーバ１３はまた、配信した据置端末向けコンテンツのコンテンツＩＤに対応する配信処理情報を、図１４に示すように、「配信済」を意味するものに変更する。
【００５４】
なお、ここでは据置端末向けコンテンツはハードディスク９４に格納され、そこから読み出されるものとしたが、他のサーバから取得するようにすることもできる。
【００５５】
据置端末１１−２のＣＰＵ５１は、ステップＳ４３において、据置端末向けサービスサーバ１３から据置端末向けコンテンツの配信があったか否かを判定し、配信があったと判定した場合、ステップＳ４４に進み、それを、通信部５９を介して受信し、例えばハードディスク５４に記憶する。これにより、ユーザＡは、購入した据置端末向けコンテンツを利用することができる。その後、処理は終了する。
【００５６】
以上のように、異なる形態のサービスを提供するサービス事業者間で、提供したサービスに関する情報を提供し合うようにしたので、効果的なサービス提供を行うことができる。
【００５７】
また、据置端末向けサービスの販売ページのＵＲＬを、携帯に便利な携帯端末１１−１に送信するようにしたので、ユーザＡは、据置端末１１−２で利用する据置端末向けサービスの購入手続きを、自分がいる場所等に制限されることなく行うことができる。また、購入手続きは携帯端末１１−１を介して行うが、購入した据置端末向けサービスの取得自体は、据置端末１１−２を介して行うので、携帯端末１１−１が、据置端末向けサービスを受信する機能等を有していなくても、据置端末向けサービスの提供を適切に受けることができる。
【００５８】
また、上述した購入情報（図１０のステップＳ１２で、携帯端末向けサービスサーバ１２から据置端末向けサービスサーバ１３に送信される情報）に、ユーザＡのユーザＩＤと携帯端末向けコンテンツのコンテンツＩＤの他に、携帯端末向けサービスサーバ１２のサーバＩＤを付加し、据置端末向けサービスサーバ１３は、購入情報の受信回数（または送信回数）を、携帯端末向けサービスサーバ１２（複数の携帯端末向けサービスサーバが存在するものとする）毎に集計し、その集計結果を利用した、据置端末向けサービスの提供を行うことができる。
【００５９】
また、本明細書において、記録媒体により提供されるプログラムを記述するステップは、記載された順序に沿って時系列的に行われる処理はもちろん、必ずしも時系列的に処理されなくとも、並列的あるいは個別に実行される処理をも含むものである。
【００６０】
また、本明細書において、システムとは、複数の装置により構成される装置全体を表すものである。
【００６１】
【発明の効果】
第１乃至第３の本発明によれば、ネットワークを介するサービス提供を、効果的に行うことができる。
【図面の簡単な説明】
【図１】従来のサービス提供システムの構成例を示す図である。
【図２】本発明のサービス提供システムの構成例を示す図である。
【図３】図２の携帯端末の構成例を示すブロック図である。
【図４】図２の据置端末の構成例を示すブロック図である。
【図５】図２の携帯端末向けサービスサーバの構成例を示すブロック図である。
【図６】図２の据置端末向けサービスサーバの構成例を示すブロック図である。
【図７】ユーザ登録処理を説明する図である。
【図８】図２の携帯端末向けサービスサーバに登録される情報を示す図である。
【図９】図２の据置端末向けサービスサーバに登録される情報を示す図である。
【図１０】携帯端末向けサービスおよび据置端末向けサービスを購入する場合の動作を説明するフローチャートである。
【図１１】携帯端末向けサービスおよび据置端末向けサービスを購入する処理で授受されるデータを示す図である。
【図１２】図２の据置端末向けサービスサーバに登録される他の情報を示す図である。
【図１３】購入した据置端末向けサービスの配信を受けるための処理を説明するフローチャートである。
【図１４】図２の据置端末向けサービスサーバに登録される他の情報を示す図である。
【符号の説明】
２  インターネット，  ３  中継器，  １１−１  携帯端末，  １１−２  据置端末，  １２  携帯端末向けサービスサーバ，  １３  据置端末向けサービスサーバ
【図１】
2004334673.tif 000003
【図２】
2004334673.tif 000004
【図３】
2004334673.tif 000005
【図４】
2004334673.tif 000006
【図５】
2004334673.tif 000007
【図６】
2004334673.tif 000008
【図７】
2004334673.tif 000009
【図８】
2004334673.tif 000010
【図９】
2004334673.tif 000011
【図１０】
2004334673.tif 000012
【図１１】
2004334673.tif 000013
【図１２】
2004334673.tif 000014
【図１３】
2004334673.tif 000015
【図１４】
2004334673.tif 000016